(57)【要約】【課題】  車でビジネス活動を行っている者は多岐にわたりかなりいるが、外出先でオフィースワークを行う必要が生じた時、その乗車している車ごと乗り入れ、必要な時間のみ必要なオフィースワーク設備が整った施設を得ることは先ず今日に於いては不可能である。この乗車している車ごと乗り入れ、必要な時間のみ利用が可能なオフィースワーク環境が整った施設を如何にビジネス市場に提供するか。【解決手段】  オフィースワークに必要な設備を、プライベート・ワーク空間と共有ワーク空間に振り分けそれを規格化し、時間貸し１オフィースワーク施設を構築し、全国展開を行う。プライベート・ワーク空間の空き・予約・キャンセル・利用明細と総額の確認等の一連の手続きをインターネット上で完結させ精算は共有ワーク空間に設置してある精算機で行う。【選択図】図１
2020170563.tif 000002
【特許請求の範囲】
【請求項１】
プライベート・ワーク空間と共有ワーク空間とで成り立っているオフィース空間で、車のままプライベート・オフィース空間に乗り入れる、時間貸しのレンタル・オフィースの発明である。
【請求項１】
プライベート・ワーク空間をユニット化し、共有ワーク空間の設備を１セット化して、この１ユニットと１セットの組み合わせで、１パーソンから複数人のオフィース空間を生み出し、並列配列と縦列直行配列を可能とする発明である。
【発明の詳細な説明】
【技術分野】
【０００１】  車のままオフィース空間に乗り入れオフィースワークを可能とする、時間貸しのレンタル・オフィースの集合オフィース構築体。
【背景技術】
【０００２】  既にレンタル・オフィースは需要に応じた幾つかのバリエーションにまとめられ、経済活動市場に提供されている。その中には、時間貸しのレンタル・オフィースも存在しており、企業のサテライト的利用やビジネスマンの外出先でのドロップイン的利用が為されている。【０００３】  それらの時間貸しレンタル・オフィースは、あくまでも人のみ収容の空間である。然し、ビジネス活動は車を用いるケースが多岐にわたりかなりある。この場合は、駐車場を別に探し人のみがレンタル・オフィースを利用するという、極めて非効率的で非経済的事態が余儀なくされる。【０００４】  ユニットハウスが有り連棟の構築物はあるが、然し、高度なオフィースワークを可能とした設備を組み込んだユニット的構築物は無い。
【先行技術】
【０００５】
【非特許文献】「［駐車場完備］のオフィス一覧」，カリルオフィース．Ｃｏｍ，インターネット媒体，ｈｔｔｐ：／／ｋａｒｉｒｕｏｆｆｉｃｅ．ｃｏｍ／ｏｆｆｉｃｅ−ｔａｇ／ｆｅａｔｕｒｅ０３
【０００６】
【非特許文献】「関東のレンタルオフィス（ドロップイン・駐車場）」，ワークスペースジャパン，インターネット媒体，ｈｔｔｐｓ：／／ｗｏｒｋｓｐａｃｅ−ｊａｐａｎ．ｃｏｍ／ｋａｎｔｏ／ｒｅｎｔｏｆｆｉｃｅ／ｄｒｏｐｉｎ／ｐａｒｋｉｎｇｌｏｔ／
【０００７】
【非特許文献】「［２０２０年版］レンタルオフィス×東京３２選  個室でおすすめ！おしゃれ・格安・登記可レンタルオフィス！」，ＳＯＨＯオフィースナビ，株式会社アーデント，ｈｔｔｐ：／／ｓｏｈｏｎａｖｉ．ｊｐ／ｃｏｎｔｅｎｔｓ／ｓｅｒｉｅｓ−ｔｏｋｙｏ／
【０００８】
【非特許文献】「ユニットハウス」，株式会社ナガワ，インターネット媒体，ｈｔｔｐｓ：／／ｗｗｗ．ｎａｇａｗａ．ｃｏ．ｊｐ／ｉｔｅｍｓ／ｉｎｄｅｘ／ｉｔｅｍ  ｋｂｎ：１／ｍｏｄｅ：ｓｅａｒｃｈ／ｐａｇｅ：２
【発明の概要】
【発明が解決しようとする課題】
【０００９】  車でビジネス活動を行っている者が、出先で数時間オフィースワークを行う必要が生じた時、その乗車中の車ごとオフィースワーク環境の整った空間に乗り入れ、仕事をすることができるなら、それは理想となる。【００１０】  車でのビジネス活動中に、オフィースワークに必要の時間だけ、オフィースワーク環境の整った空間に、乗車中の車のまま乗り入れて利用できる時間貸しレンタル・オフィースの構築。【００１１】  オフィースワークを行わなければならない地域で、空きレンタル・オフィースを探し、予約を入れ、利用し、清算するシステムを利用し利便性の向上を図る。
【課題を解決するための手段】
【００１２】  プライベート・ワーク空間と共有ワーク空間とでレンタル・オフィースワーク施設を形成する。プライベート・ワーク空間にプライベートでオフィースワークに必要のオフィース機器等の設備を整え、それを１プライベート・ワーク空間とする。その構築体は部材等を規格化しモジュラー化し１構築体を定型体にしてユニット化にする。このユニット化空間に車の乗り入れスペースを設ける。共有可能で共有すべきオフィース機器を１空間に集合させ１セット化にし共有ワーク空間とする。この１ユニットと１セットの組み合わせで車乗り入れ時間貸しレンタル・オフィースを形成・構築し、全国展開を行う。【００１３】  １ユニットにはテレワーク設備を標準装備とし、ＷｉＦｉ環境を整え、クラウドコンピューティング等のインターネット・オフィースワークの需要に応え、ホームワークに対してもより優れた環境の提供を行う。【００１４】  空きレンタル・オフィース探し、予約、利用開始、キャンセル等の一連の手続きをインターネット上で執り行う。【００１５】  精算は、共有ワーク空間に設置してある精算機で行う。
【発明の効果】
【００１６】  車でビジネス活動を行っている者に生ずる出先での短時間のオフィースワークの需要に確実に応えていくことになり、車でビジネス活動を行っている者の仕事の能率性と効率性は高まる。【００１７】  企業に所属する者であるなら、テレワークシステム等の活用により会社と取引先との中継基地となり、取引先への訪問前後の一時的オフィースワークを可能とし、遠距離への出張であるならその地点での一時的拠点となる。【００１８】  １ユニット１セットの規格化した定型体は、本発明を全国展開した時、コストメリットとコンビニエンスメリットを得ていく。
【図面の簡単な説明】
【００１９】
【図１】１ユニット１セットの並列配列例
【図２】１ユニット１セットの縦列直行配列例
【図３】空きレンタル・オフィース確認から出庫までのフローチャート
【発明を実施するための形態】
【００２０】  空きレンタル・オフィースの表示、予約受付、キャンセル受付、利用明細と利用総額の確認の一連をインターネット上で取り扱う。
【００２１】  複数プライベート・ワーク空間と原則１共有ワーク空間とで時間貸しの１オフィースワーク施設を構築する。
【００２２】  時間貸しの１オフィースワーク施設は、電話・インターネットの通信回線を整備する。
【００２３】  プライベート・ワーク空間には、テレワークシステム・ＬＡＮ・ＴＶ・ＦＭ＆ＡＭラジオ等のワーキング設備とキッチン・冷蔵庫・トイレ・エアーコンディショナー・電気自動車用充電ソケット等の生活設備を配置する。
【００２４】  共有ワーク空間には、プリンター・コピーマシーン・スキャナー・ファクシミリ・精算機等を設置する。
【００２５】  チェックイン＆チェックアウトの判定はプライベート・ワーク空間への入出庫のガーレージ・スペースのシャッターの開閉で行う。精算は共有ワークスペースに設けられている精算機で行う。精算が終了しない限り出庫時のシャッターは開かずとする。
【符号の説明】
【００２６】  ａ１０１  車両入庫スペース
ａ１０２  オーバースライダー方式ドア付きシャッター
ａ１０３  電気自動車用充電ソケット
ｂ１０１  プライベート・ワーク空間
ｂ１０２  テレワーク・ＴＶ兼用液晶ディスプレイ
ｃ１０１  共有ワーク空間
【図１】
2020170563.tif 000003
【図２】
2020170563.tif 000004
【図３】
2020170563.tif 000005